(57)【要約】      （修正有）【課題】軽量で強固な支持部を有した粘着テープ切断装置を提供する。【解決手段】粘着テープ切断装置Ｃは、粘着テープを支持する支持部１と、引き出された粘着テープを支持する回転体２と、回転体で支持された粘着テープを一定の長さに切断する切断刃３とを有し、支持部１は、合成樹脂製の第１のフレームＦ１の内側に設けた合成樹脂製の第１の円筒部４の内周に、合成樹脂製の第２のフレームＦ２の内側に設けた合成樹脂製の第２の円筒部５の外周を当接して形成された第１の円筒部４の外周であり、第１の円筒部４の内径は、第２の円筒部５の外径より大であり、第１の円筒部４は、第１のフレームＦ１に一体的に形成され、第２の円筒部５は、第２のフレームＦ２に一体的に形成されている。【選択図】図７
0003213415.tif 000002
【実用新案登録請求の範囲】
【請求項１】
粘着テープを支持する支持部と、引き出された前記粘着テープを支持する回転体と、この回転体で支持された前記粘着テープを一定の長さに切断する切断刃とを有した粘着テープ切断装置であって、
前記支持部は、合成樹脂製の第１のフレームの内側に設けた合成樹脂製の第１の円筒部の内周に、合成樹脂製の第２のフレームの内側に設けた合成樹脂製の第２の円筒部の外周を当接して形成された前記第１の円筒部の外周であり、
前記第１の円筒部の内径は、前記第２の円筒部の外径より大であり、
前記第１の円筒部は、前記第１のフレームに一体的に形成され、
前記第２の円筒部は、前記第２のフレームに一体的に形成されている
ことを特徴とする粘着テープ切断装置。  
【請求項２】
回転体は、合成樹脂製の円筒部と、この円筒部より放射状に伸びた複数の合成樹脂製の支持部と、前記円筒部の内方に前記円筒部より小径の合成樹脂製の小径円筒部を有し、
この小径円筒部の一端が、第１のフレームの内側に設けた合成樹脂製の第１のフレーム側第１の円柱突起部に、前記小径円筒部の他端が、第２のフレームの内側に設けた合成樹脂製の第２のフレーム側第２の円柱突起部に、支持され、
前記第１のフレーム側第１の円柱突起部は、前記第１のフレームに一体的に形成され、
前記第２のフレーム側第２の円柱突起部は、前記第２のフレームに一体的に形成されている
ことを特徴とする請求項１記載の粘着テープ切断装置。  
【請求項３】
切断刃は、第１のフレームと第２のフレームとの間に設けられた切断刃支持部材により支持され、
前記切断刃支持部材により支持された前記切断刃は前記第１のフレームの上端面及び前記第１のフレームの側端面より突出しないように設けられ、
前記切断刃支持部材により支持された前記切断刃は前記第２のフレームの上端面及び前記第２のフレームの側端面より突出しないように設けられている
ことを特徴とする請求項１記載の粘着テープ切断装置。
【請求項４】
平面視、回転体と切断刃との間に、粘着テープを貼着させる貼着台が設けられ、
前記貼着台は、第１のフレームと第２のフレームとの間に設けられ、
前記貼着台より下方に切断刃が位置している
ことを特徴とする請求項１記載の粘着テープ切断装置。
【請求項５】
粘着テープを支持する支持部と、引き出された前記粘着テープを支持する回転体と、この回転体で支持された前記粘着テープを一定の長さに切断する切断刃とを有した粘着テープ切断装置であって、
前記支持部は、合成樹脂製の第１のフレームの内側に設けた合成樹脂製の第１の円筒部の内周に、合成樹脂製の第２のフレームの内側に設けた合成樹脂製の第２の円筒部の外周を当接して形成された前記第１の円筒部の外周であり、
前記第１の円筒部の内径は、前記第２の円筒部の外径より大であり、
前記第１の円筒部は、前記第１のフレームに一体的に形成され、
前記第２の円筒部は、前記第２のフレームに一体的に形成され、
平面視、前記回転体と前記切断刃との間に、前記粘着テープを貼着させる貼着台が設けられ、
前記貼着台は、前記第１のフレームと前記第２のフレームとの間に設けられ、
前記貼着台より下方に前記切断刃が位置し、
前記粘着テープを所望の長さ引き出し、引き出した前記粘着テープを前記回転体における前記回転体の支持部及び前記貼着台で支持して前記粘着テープを前記切断刃で切断する
ことを特徴とする粘着テープ切断装置。
【請求項６】
使用時、粘着テープ切断装置の載置面に当接する部位は、第１のフレームの下部に直線状に設けられた第１の直線状部位と第２のフレームの下部に直線状に設けられた第２の直線状部位であり、
不使用時、粘着テープ切断装置の載置面に当接する部位は、第１のフレームの粘着テープを支持する支持部から遠い側の側端部に直線状に設けられた第３の直線状部位と第２のフレームの粘着テープを支持する支持部から遠い側の側端部に直線状に設けられた第４の直線状部位である
ことを特徴とする請求項１又は請求項５記載の粘着テープ切断装置。  
【考案の詳細な説明】
【技術分野】
【０００１】
本考案は、粘着テープ切断装置に係り、特に、軽量で強固な支持部を有した粘着テープ切断装置に関する。
【背景技術】
【０００２】
従来、粘着テープを定尺寸法に切断する装置として、粘着テープカッターにおける定尺切断装置がある（特許文献１参照）。
この粘着テープカッターにおける定尺切断装置は、ロール状に捲回される粘着テープが係合する保持輪と、テープの引き出し方向の前方に設けられる切断刃の中間部の台壁に、切断すべきテープの所定長を規制する二本の軸を調節自在に取着ける保持部を具備する回動片を軸支すると共に回動片の端末部回動域に臨んで上端に遊離部を形成した逆転防止用の板ばね片を附設したものである。
【先行技術文献】
【特許文献】
【０００３】
【特許文献１】実公昭５２−４３４４０号公報
【考案の概要】
【考案が解決しようとする課題】
【０００４】
上記の粘着テープカッターにおける定尺切断装置にあっては、保持輪と台壁とは、それぞれ別部材で構成され、粘着テープカッターにおける定尺切断装置を軽量化を図る上では、改善の余地があった。
【０００５】
本考案の目的は、上記事情を考慮してなされたもので、装置の軽量化を図った粘着テープ切断装置を提供するすることである。
【課題を解決するための手段】
【０００６】
請求項１記載の粘着テープ切断装置は、粘着テープを支持する支持部と、引き出された前記粘着テープを支持する回転体と、この回転体で支持された前記粘着テープを一定の長さに切断する切断刃とを有した粘着テープ切断装置であって、前記支持部は、合成樹脂製の第１のフレームの内側に設けた合成樹脂製の第１の円筒部の内周に、合成樹脂製の第２のフレームの内側に設けた合成樹脂製の第２の円筒部の外周を当接して形成された前記第１の円筒部の外周であり、前記第１の円筒部の内径は、前記第２の円筒部の外径より大であり、前記第１の円筒部は、前記第１のフレームに一体的に形成され、前記第２の円筒部は、前記第２のフレームに一体的に形成されているものである。
【０００７】
また、請求項２記載の粘着テープ切断装置は、請求項１記載の粘着テープ切断装置において、回転体は、合成樹脂製の円筒部と、この円筒部より放射状に伸びた複数の合成樹脂製の支持部と、前記円筒部の内方に前記円筒部より小径の合成樹脂製の小径円筒部を有し、この小径円筒部の一端が、第１のフレームの内側に設けた合成樹脂製の第１のフレーム側第１の円柱突起部に、前記小径円筒部の他端が、第２のフレームの内側に設けた合成樹脂製の第２のフレーム側第２の円柱突起部に、支持され、前記第１のフレーム側第１の円柱突起部は、前記第１のフレームに一体的に形成され、前記第２のフレーム側第２の円柱突起部は、前記第２のフレームに一体的に形成されているものである。
【０００８】
また、請求項３記載の粘着テープ切断装置は、請求項１記載の粘着テープ切断装置において、切断刃は、第１のフレームと第２のフレームとの間に設けられた切断刃支持部材により支持され、前記切断刃支持部材により支持された前記切断刃は前記第１のフレームの上端面及び前記第１のフレームの側端面より突出しないように設けられ、前記切断刃支持部材により支持された前記切断刃は前記第２のフレームの上端面及び前記第２のフレームの側端面より突出しないように設けられているものである。
【０００９】
また、請求項４記載の粘着テープ切断装置は、請求項１記載の粘着テープ切断装置において、平面視、回転体と切断刃との間に、粘着テープを貼着させる貼着台が設けられ、前記貼着台は、第１のフレームと第２のフレームとの間に設けられ、前記貼着台より下方に切断刃が位置しているものである。
【００１０】
また、請求項５記載の粘着テープ切断装置は、粘着テープを支持する支持部と、引き出された前記粘着テープを支持する回転体と、この回転体で支持された前記粘着テープを一定の長さに切断する切断刃とを有した粘着テープ切断装置であって、前記支持部は、合成樹脂製の第１のフレームの内側に設けた合成樹脂製の第１の円筒部の内周に、合成樹脂製の第２のフレームの内側に設けた合成樹脂製の第２の円筒部の外周を当接して形成された前記第１の円筒部の外周であり、前記第１の円筒部の内径は、前記第２の円筒部の外径より大であり、前記第１の円筒部は、前記第１のフレームに一体的に形成され、前記第２の円筒部は、前記第２のフレームに一体的に形成され、平面視、前記回転体と前記切断刃との間に、前記粘着テープを貼着させる貼着台が設けられ、前記貼着台は、前記第１のフレームと前記第２のフレームとの間に設けられ、前記貼着台より下方に前記切断刃が位置し、前記粘着テープを所望の長さ引き出し、引き出した前記粘着テープを前記回転体における前記回転体の支持部及び前記貼着台で支持して前記粘着テープを前記切断刃で切断するものである。
【００１１】
また、請求項６記載の粘着テープ切断装置は、請求項１又は請求項５記載の粘着テープ切断装置において、使用時、粘着テープ切断装置の載置面に当接する部位は、第１のフレームの下部に直線状に設けられた第１の直線状部位と第２のフレームの下部に直線状に設けられた第２の直線状部位であり、不使用時、粘着テープ切断装置の載置面に当接する部位は、第１のフレームの粘着テープを支持する支持部から遠い側の側端部に直線状に設けられた第３の直線状部位と第２のフレームの粘着テープを支持する支持部から遠い側の側端部に直線状に設けられた第４の直線状部位である。
【考案の効果】
【００１２】
請求項１記載の粘着テープ切断装置によれば、粘着テープを支持する支持部は、合成樹脂製の第１のフレームの内側に設けた合成樹脂製の第１の円筒部の内周に、合成樹脂製の第２のフレームの内側に設けた合成樹脂製の第２の円筒部の外周を当接して形成された前記第１の円筒部の外周で、前記第１の円筒部は、前記第１のフレームに一体的に形成され、前記第２の円筒部は、前記第２のフレームに一体的に形成されているため、軽量で強固な支持部を有した粘着テープ切断装置を得ることができる。
【００１３】
また、請求項２記載の粘着テープ切断装置によれば、上述した請求項１記載の考案の効果に加え、小径円筒部の一端が、第１のフレームの内側に設けた合成樹脂製の第１のフレーム側第１の円柱突起部に、前記小径円筒部の他端が、第２のフレームの内側に設けた合成樹脂製の第２のフレーム側第２の円柱突起部に、支持され、前記第１のフレーム側第１の円柱突起部は、前記第１のフレームに一体的に形成され、前記第２のフレーム側第２の円柱突起部は、前記第２のフレームに一体的に形成されているため、軽量で強固な回転体とこの回転体の支持部を有した粘着テープ切断装置を得ることができる。
【００１４】
また、請求項３記載の粘着テープ切断装置によれば、上述した請求項１記載の考案の効果に加え、切断刃は、第１のフレームと第２のフレームとの間に設けられた切断刃支持部材により支持され、前記切断刃支持部材により支持された前記切断刃は前記第１のフレームの上端面及び前記第１のフレームの側端面より突出しないように設けられ、前記切断刃支持部材により支持された前記切断刃は前記第２のフレームの上端面及び前記第２のフレームの側端面より突出しないように設けられているため、つまり、突出しない分、切断刃による損傷を防ぐことができる。
【００１５】
また、請求項４記載の粘着テープ切断装置によれば、上述した請求項１記載の考案の効果に加え、平面視、回転体と切断刃との間に、粘着テープを貼着させる貼着台を設け、前記貼着台は、第１のフレームと第２のフレームとの間に設けられ、前記貼着台より下方に切断刃が位置しているため、つまり、貼着台に貼着した粘着テープを切断するため、粘着テープを安定して切断できると共に、残存の粘着テープが貼着台に貼着しているため、次回の粘着テープの切断を迅速且つ正確に行うことができる。
【００１６】
また、請求項５記載の粘着テープ切断装置によれば、粘着テープを所望の長さに引き出し、引き出した粘着テープを回転体における前記回転体の支持部及び貼着台で支持して切断刃で粘着テープを所望の長さに切断することができ、しかも、粘着テープを支持する支持部は、合成樹脂製の第１のフレームの内側に設けた合成樹脂製の第１の円筒部の内周に、合成樹脂製の第２のフレームの内側に設けた合成樹脂製の第２の円筒部の外周を当接して形成された前記第１の円筒部の外周で、前記第１の円筒部は、前記第１のフレームに一体的に形成され、前記第２の円筒部は、前記第２のフレームに一体的に形成されているため、軽量で強固な支持部を有した粘着テープ切断装置を得ることができ、更に、平面視、回転体と切断刃との間に、粘着テープを貼着させる貼着台を設け、前記貼着台は、第１のフレームと第２のフレームとの間に設けられ、前記貼着台より下方に前記切断刃が位置しているため、つまり、貼着台に貼着した粘着テープを切断するため、粘着テープを安定して切断できると共に、残存の粘着テープが貼着台に貼着しているため、次回の粘着テープの切断を迅速且つ正確に行うことができる。
【００１７】
また、請求項６記載の粘着テープ切断装置によれば、上述した請求項１又は請求項５記載の考案の効果に加え、不使用時、第１のフレームの粘着テープを支持する支持部から遠い側の側端部に直線状に設けられた第３の直線状部位と第２のフレームの粘着テープを支持する支持部から遠い側の側端部に直線状に設けられた第４の直線状部位が、載置面に当接して、縦長に立設することができる。
【図面の簡単な説明】
【００１８】
【図１】図１は、本考案の一実施例の粘着テープ切断装置の概略的斜視図である。
【図２】図２は、図１の粘着テープ切断装置の使用状態を示す概略的斜視図である。
【図３】図３は、図２の粘着テープ切断装置の概略的断面図である。
【図４】図４は、図１の粘着テープ切断装置の不使用時の一使用形態を示す概略的斜視図である。
【図５】図５は、図１の粘着テープ切断装置に粘着テープを装着する前の状態を平面的に撮った写真である。
【図６】図６は、図５の粘着テープ切断装置を左側面から撮った写真である。
【図７】図７は、図５の粘着テープ切断装置の分解途中の状態を撮った写真である。
【図８】図８は、図７の粘着テープ切断装置の分解した状態を撮った写真である。
【図９】図９は、図８の一部拡大して写真である。
【図１０】図１０は、図８の回転体を第１フレームから分離した状態を撮った写真である。
【図１１】図１１は、図５の粘着テープ切断装置に粘着テープを装着した状態を平面的に撮った写真である。
【図１２】図１２は、図２の粘着テープ切断装置の使用形態と異なる使用形態を示すもので、粘着テープを所望の長さ引き出した状態を示す写真である。
【図１３】図１３は、図１２の所望の長さ引き出した粘着テープを切断する状態を示す写真である。
【考案を実施するための形態】
【００１９】
本考案の一実施例の粘着テープ切断装置を図１乃至図１３を参照して説明する。
図１に示すＣは、粘着テープ切断装置で、粘着テープ切断装置Ｃは、粘着テープＴを支持する支持部１と、引き出された粘着テープＴを支持（例えば、２点で支持）する回転体２と、この回転体２で支持された粘着テープＴを一定の長さに切断する切断刃３とを有するものである。
【００２０】
支持部１は、合成樹脂製の第１のフレームＦ１の内側に設けた合成樹脂製の第１の円筒部４の内周に、合成樹脂製の第２のフレームＦ２の内側に設けた合成樹脂製の第２の円筒部５の外周を当接して形成された第１の円筒部４の外周であり、
第１の円筒部（支持部１）４の内径は、第２の円筒部５の外径より大となっている（図３及び図７参照）。
そして、第１の円筒部４は、第１のフレームＦ１に一体的に形成され、また、第２の円筒部５は、第２のフレームＦ２に一体的に形成されている。
【００２１】
このように、粘着テープＴを支持する支持部（第１の円筒部４）１は、合成樹脂製の第１のフレームＦ１の内側に設けた合成樹脂製の第１の円筒部４の内周に、合成樹脂製の第２のフレームＦ２の内側に設けた合成樹脂製の第２の円筒部５の外周を当接して形成された第１の円筒部４の外周で、第１の円筒部４は、第１のフレームＦ１に一体的に形成され、第２の円筒部５は、第２のフレームＦ２に一体的に形成されているため、軽量で強固な支持部１を有した粘着テープ切断装置Ｃを得ることができる。
【００２２】
回転体２は、図３、図８、図９に示すように、合成樹脂製の円筒部２１、この円筒部２１より放射状に伸びた複数の合成樹脂製の支持部２２、２２、２２とを有し、円筒部２１の内方に円筒部２１より小径の合成樹脂製の小径円筒部２３を有している。
この小径円筒部２３の一端が、図８及び図１０に示すように、第１のフレームＦ１の内側に設けた合成樹脂製の第１のフレーム側第１の円柱突起部６に、小径円筒部２３の他端が、第２のフレームＦ２の内側に設けた合成樹脂製の第２のフレーム側第２の円柱突起部７に、支持される。
そして、第１のフレーム側第１の円柱突起部６は、第１のフレームＦ１に一体的に形成され、第２のフレーム側第２の円柱突起部７は、第２のフレームＦ２に一体的に形成されている。
【００２３】
このように、小径円筒部２３の一端が、第１のフレームＦ１の内側に設けた合成樹脂製の第１のフレーム側第１の円柱突起部６に、小径円筒部２３の他端が、第２のフレームＦ２の内側に設けた合成樹脂製の第２のフレーム側第２の円柱突起部７に、支持され、第１のフレーム側第１の円柱突起部６は、第１のフレームＦ１に一体的に形成され、第２のフレーム側第２の円柱突起部７は、第２のフレームＦ２に一体的に形成されているため、軽量で強固な回転体２と、この回転体２の回転支持部６、７を有した粘着テープ切断装置Ｃを得ることができる。
【００２４】
切断刃３は、図５及び図６に示すように、第１のフレームＦ１と第２のフレームＦ２との間に設けられた切断刃支持部材８に取り付けられている。切断刃支持部材８は、例えば、切断刃３を挟持する隙間を有し、該隙間に切断刃３を挿入して支持するようにしている。
そして、切断刃支持部材８により支持された切断刃３は、第１のフレームＦ１の上端面Ｆ１Ｘ及び第１のフレームＦ１の側端面Ｆ１Ｙより突出しないように設けられている。
また、切断刃支持部材８により支持された切断刃３は、第２のフレームＦ２の上端面Ｆ２Ｘ及び第２のフレームＦ２の側端面Ｆ２Ｙより突出しないように設けられている。
このように、切断刃３は、第１のフレームＦ１と第２のフレームＦ２との間に設けられた切断刃支持部材８により支持され、切断刃支持部材８により支持された切断刃３は、第１のフレームＦ１の上端面Ｆ１Ｘ及び第１のフレームＦ１の側端面Ｆ１Ｙより突出しないように設けられ、切断刃支持部材８により支持された切断刃３は、第２のフレームＦ２の上端面Ｆ２Ｘ及び第２のフレームＦ２の側端面Ｆ２Ｙより突出しないように設けられているため、つまり、突出しない分、切断刃３による損傷を防ぐことができる。
【００２５】
粘着テープＴを貼着させる貼着台９が、図５に示すように、平面視、回転体２と切断刃３との間に設けられ、また、貼着台９は、第１のフレームＦ１と第２のフレームＦ２との間に設けられ、貼着台９より下方に切断刃３が位置している（図９）。
その結果、貼着台９に貼着した粘着テープＴを切断するため、粘着テープＴを安定して切断できると共に、残存の粘着テープＴが貼着台９に貼着しているため、次回の粘着テープＴの切断を迅速且つ正確に行うことができる。
【００２６】
上述した粘着テープ切断装置Ｃにあっては、図２及び図３に示すように、引き出した粘着テープＴを回転体２の支持部２２、２２の２点、切断刃３で支持した時点で粘着テープＴの引き出しを停止し、その後、切断刃３により、粘着テープＴを一定の長さに切断するようにしたが、
本願考案にあっては、これに限らず、図１２に示すように、粘着テープＴを所望の長さ引き出し、図１３に示すように、引き出した粘着テープＴを回転体２における回転体２の支持部２２及び貼着台９で支持して粘着テープＴを切断刃３で切断するようにしても良い。
かかる粘着テープ切断装置Ｃは、粘着テープＴを支持する支持部１と、引き出された粘着テープＴを支持する回転体３と、この回転体３で支持された粘着テープＴを一定の長さに切断する切断刃３とを有した粘着テープ切断装置Ｃであって、支持部１は、合成樹脂製の第１のフレームＦ１の内側に設けた合成樹脂製の第１の円筒部４の内周に、合成樹脂製の第２のフレームＦ２の内側に設けた合成樹脂製の第２の円筒部５の外周を当接して形成された第１の円筒部４の外周であり、第１の円筒部４の内径は、第２の円筒部５の外径より大であり、第１の円筒部４は、第１のフレームＦ１に一体的に形成され、第２の円筒部５は、第２のフレームＦ２に一体的に形成され、平面視、回転体２と切断刃３との間に、粘着テープＴを貼着させる貼着台９が設けられ、貼着台９は、第１のフレームＦ１と第２のフレームＦ２との間に設けられ、貼着台９より下方に切断刃３が位置し、粘着テープＴを所望の長さ引き出し、引き出した粘着テープＴを回転体２における回転体２の支持部２２及び貼着台９で支持して粘着テープＴを切断刃３で切断するものである。
従って、上記粘着テープ切断装置Ｃによれば、粘着テープＴを所望の長さに引き出し、引き出した粘着テープＴを回転体２における回転体２の支持部２２及び貼着台９で支持して切断刃３で粘着テープＴを所望の長さに切断することができ、しかも、粘着テープＴを支持する支持部１は、合成樹脂製の第１のフレームＦ１の内側に設けた合成樹脂製の第１の円筒部４の内周に、合成樹脂製の第２のフレームＦ２の内側に設けた合成樹脂製の第２の円筒部５の外周を当接して形成された第１の円筒部４の外周で、第１の円筒部４は、第１のフレームＦ１に一体的に形成され、第２の円筒部５は、第２のフレームＦ２に一体的に形成されているため、軽量で強固な支持部１を有した粘着テープ切断装置Ｃを得ることができ、更に、平面視、回転体２と切断刃３との間に、粘着テープＴを貼着させる貼着台９を設け、貼着台９は、第１のフレームＦ１と第２のフレームＦ２との間に設けられ、貼着台９より下方に切断刃３が位置しているため、つまり、貼着台９に貼着した粘着テープＴを切断するため、粘着テープＴを安定して切断できると共に、残存の粘着テープＴが貼着台９に貼着しているため、次回の粘着テープＴの切断を迅速且つ正確に行うことができる。
【００２７】
なお、図１乃至図３に示す使用時、粘着テープ切断装置Ｃの載置面Ｇに当接する部位は、第１のフレームＦ１の下部に直線状に設けられた第１の直線状部位Ｆ１１と第２のフレームの下部に直線状に設けられた第２の直線状部位Ｆ２２であり（図１、図２、図１３）、図４に示す不使用時、粘着テープ切断装置Ｃの載置面Ｇに当接する部位は、第１のフレームＦ１の粘着テープＴを支持する支持部１から遠い側の側端部に直線状に設けられた第３の直線状部位Ｆ１３（図２）と第２のフレームＦ２の粘着テープＴを支持する支持部１から遠い側の側端部に直線状に設けられた第４の直線状部位Ｆ２４（図２）で、載置面Ｇに当接して、縦長に立設することができる（図４）。
【符号の説明】
【００２８】
Ｃ      粘着テープ切断装置
Ｔ      粘着テープ
１      支持部
２      回転体
３      切断刃
４      第１の円筒部
５      第２の円筒部
Ｆ１    第１のフレーム
Ｆ２    第２のフレーム
【図１】
0003213415.tif 000003
【図２】
0003213415.tif 000004
【図３】
0003213415.tif 000005
【図４】
0003213415.tif 000006
【図５】
0003213415.tif 000007
【図６】
0003213415.tif 000008
【図７】
0003213415.tif 000009
【図８】
0003213415.tif 000010
【図９】
0003213415.tif 000011
【図１０】
0003213415.tif 000012
【図１１】
0003213415.tif 000013
【図１２】
0003213415.tif 000014
【図１３】
0003213415.tif 000015